(57)【特許請求の範囲】
【請求項１】
ハウジング本体内に挿着された受発光モジュールを固定するために、該ハウジング本体内に組付けられる光コネクタ用キャップであって、
基板と、該基板の四方に枠状に突出して設けられ、前記ハウジング本体の開口内に挿入係止される側壁と、該基板の内面からキャップ組付け方向に突出して設けられ、先端を前記受発光モジュールに当接させる弾性の突部とを備え、該突部の自由状態で該突部の先端部が該側壁よりもキャップ組付け方向に突出して位置し、キャップ組付け状態で該側壁の先端が該受発光モジュールに接し、該突部が弾性的に該受発光モジュールに当接して該受発光モジュールの位置ズレを防止することを特徴とする光コネクタ用キャップ。
【請求項２】
前記突部が両側端を鋭角に切り落として先端部を尖らせた形状のものであることを特徴とする請求項１記載の光コネクタ用キャップ。
【請求項３】
前記突部が先端部から前記基板に傾斜状に交差する面と、該先端部から該基板に直交する面とを有したものであることを特徴とする請求項１記載の光コネクタ用キャップ。
【発明の詳細な説明】
【０００１】
【発明の属する技術分野】
本発明は、光コネクタのハウジング本体内に挿着された受発光モジュールを、ハウジング本体に組付けたキャップで固定する光コネクタ用キャップに関するものである。
【０００２】
【従来の技術】
従来、図９のような光コネクタが提案されている（実開昭６３−１２８５１１号公報）。
図９及び図１０に示すように、この光コネクタ７１は、ハウジング本体７２内に一対の受承筒７３，７３を有し、受承筒７３の前方に円筒状のスリーブ７４を挿着し、ハウジング本体７２内の格納室７５に受発光モジュール７６を収容し、受発光モジュール７６に弾性のバックシート７７を介在させた後にハウジング本体７２の前方からキャップ７８を押し込んで組付け、ハウジング本体の後方からハウジング用キャップ８１を組付けるものである。なお、８２はフロントシートである。
【０００３】
受発光モジュール７６とキャップ７８との間に配置されたバックシート７７が、受発光モジュール７６の保護および位置ズレを防止している。
しかしながら、別部材としてバックシート７７を利用するため、光コネクタ７１の部品点数が多くなり、ハウジング本体７２へのキャップ７８の組付け作業が面倒であった。また、バックシート７７はシリコンゴム製であり、キャップ７８はＰＢＴ（ポリブチレンテレフタレート）製であるため、材料の相違からバックシート７７とキャップ７８との一体化が不可能であった。そのため、製造コストが高い欠点があった。
【０００４】
【発明が解決しようとする課題】
本発明は上記した点に鑑み、光コネクタの部品点数が少なく、ハウジング本体への組付け作業が簡単である光コネクタ用キャップを提供することを目的とする。
【０００５】
【課題を解決するための手段】
上記目的を達成するために、本発明は、ハウジング本体内に挿着された受発光モジュールを固定するために、該ハウジング本体内に組付けられる光コネクタ用キャップであって、基板と、該基板の四方に枠状に突出して設けられ、前記ハウジング本体の開口内に挿入係止される側壁と、該基板の内面からキャップ組付け方向に突出して設けられ、先端を前記受発光モジュールに当接させる弾性の突部とを備え、該突部の自由状態で該突部の先端部が該側壁よりもキャップ組付け方向に突出して位置し、キャップ組付け状態で該側壁の先端が該受発光モジュールに接し、該突部が弾性的に該受発光モジュールに当接して該受発光モジュールの位置ズレを防止することを特徴とする（請求項１）。
前記突部が両側端を鋭角に切り落として先端部を尖らせた形状のものであることも有効である（請求項２）。
前記突部が先端部から前記基板に傾斜状に交差する面と、該先端部から該基板に直交する面とを有したものであることも有効である（請求項３）。
【０００６】
【発明の実施の形態】
以下、本発明の実施の形態の具体例を、図面を参照して説明する。
図１〜図８は本発明に係る光コネクタ用キャップの一実施例を示すものである。なお、従来例と同一構成部材には同一名称を付けて詳細な説明を省略する。
図１において、この光コネクタ用キャップ（以下、キャップという）１０は、受発光モジュール２に当接する弾性の突部としての突部１１を、キャップ１０の組付け方向（以下、Ｐ方向という）へ設けたものである。
【０００７】
図２に示すように、キャップ１０は、矩形状の基板１２の側縁に沿って上下及び左右の側壁１２ａ，１２ｂを周設し、上下側壁１２ａ、１２ａにそれぞれ一対の係止突起１３，１３を設け、左右側壁１２ｂ，１２ｂにガイドリブ１４を組付け方向（Ｐ方向）へ突設し、上下側壁１２ａ，１２ａの間に区画壁１５と区画壁１５に平行な一対のリブ１６，１６とを架設し、左右壁１２ｂ，１２ｂと区画壁１５との間にリブ１６を横切る突部１１を架設して成る。
【０００８】
本実施例では突部１１は二条であるが、それ以外にも可能である。
突部１１の形状は蒲鉾形である（図３）。各突部１１は基板１２の長手方向と同方向に配置されている。二条の突部１１の間の距離は所望の長さに設定されている。突部１１の先端部１１ａは上下及び左右側壁１２ａ，１２ｂで囲まれる開口面１７より僅かに外部に突き出ている。これにより、キャップ１０をハウジング本体３に組付けると、突部１１が受発光モジュール２に付勢した状態で当接する。従って、受発光モジュール２の位置ズレを防止することができる。
【０００９】
突部１１の変形例としては、図４のように、突部１１の両端１１ｂ，１１ｂを相互に切り落として先端部１１ａを尖らせた形状のもの、又は図５の如くに、突部１１を長手方向へ半分１１ｃに切断した形状のものなどが可能である。前者の変形例では、突部１１の両端１１ｂ，１１ｂを鋭角に切り落として先端部１１ａを尖らせるから、先端部１１ａをより確実に受発光モジュール２（１参照）に当接することができる。後者の変形例では、突部１１を長手方向に半分に切り落とすから、突部１１の弾性をほぼ維持した状態で、キャップ１０（図１参照）の樹脂材料コストを低減することができる。なお、突部１１の弾性を高めることができれば、上記の形状以外にも可能である。
【００１０】
図６乃至図８に示すように、ハウジング本体３は、内部に一対の受承筒４，４を前後方向へ設け、受承筒４の前方に受発光モジュール２を収容する格納室５を形成し、ネジ孔６ａを有する固定部６を左右側壁３ｂ，３ｂの外面に設け、上下側壁３ａ，３ａにそれぞれ一対の係止孔７ａ，７ａを穿設し、左右側壁３ｂ，３ｂにガイド溝７ｂを形成している。受承筒４の前方からスリーブ８が挿入される。ハウジング本体３の上側壁３ａにはハウジング用キャップ（図示せず）を固定するためのロック孔９が形成されている。受発光モジュール２は電気信号と光信号との間を相互に変換するものである。
【００１１】
次に、ハウジング本体３に受発光モジュール２を挿着し、キャップ１０をハウジング本体３に組付ける場合を説明する。
図６乃至図８の如くに、ハウジング本体３の受承筒４に円筒状のスリーブ８の一端８ａを前方から挿着する。格納室に受発光モジュール２を収容すると共に、スリーブ８の他端８ｂに受発光モジュール２を突き当てる。ハウジング本体３のガイド溝７ｂにキャップ１０のガイドリブ１４を案内させながら、キャップ１０をハウジング本体３の開口３ｃ（図１）に前方から押し込む。キャップ１０の突部１１と受発光モジュール２の外面２ａとが突き当たっても、キャップ１０の係止突起１３とハウジング本体３の係止孔７ａとが係合するまで、キャップ１０を押し込む。それにより、キャップ１０がハウジング本体３に組付けられる。
【００１２】
キャップ１０をハウジング本体３に押し込むことにより、受発光モジュール２が突部１１により前方から後方へ（Ｐ方向へ）押圧される。突部１１が弾性を有するから、突部１１の先端部１１ａと受発光モジュール２とが密着する。それにより、受発光モジュール２の位置ズレが防止される。そして、受発光モジュール２に無理な力が作用するのを防止できるから、受発光モジュール２の損傷が防止できる。
【００１３】
また、従来と比較してバックシート７７（図参照）を使用しないから、光コネクタ１の部品点数を削減することができ、組付け作業を容易に行うことができる。そして、部品点数の削減により光コネクタ１の製造コストも低減することができる。
更に、受発光モジュール２の位置ズレを行う（又は固定する）部材が突部１１の先端部１１ａであるから、格納室５に収容された受発光モジュール２の当接している面積が、従来に比べて小さい。そのため、空気に囲まれる受発光モジュール２の表面積が大きくなる。従って、受発光モジュール２の放熱性を一層向上することができる。
【００１４】
【発明の効果】
以上の如くに、請求項１記載の発明によれば、ハウジング本体に組付けられるキャップに突部が設けられると共に、突部が組付け方向を向いている。これにより、ハウジング本体をキャップに組付けると、突部を受発光モジュールに付勢した状態で当接させることができ、受発光モジュールの位置ズレを防止することができる。また、キャップに突部を設けるから、従来と比較して、光コネクタの部品点数を削減することができる。それにより、ハウジング本体に受発光モジュールを固定するための組付け作業を容易にすることがきる。更に、突部が受発光モジュールを固定するから、受発光モジュールに当接する面積が従来よりも小さくなる。これにより、受発光モジュールの放熱性も向上させることができる。また、突部が弾性を有するから、受発光モジュールに無理な力が作用しない。そのため、受発光モジュールの傷みを防止できる。
【００１５】
請求項２記載の発明によれば、突部の両端を切り落として先端部を尖らせるから、突部の先端部を受発光モジュールに更に強く押圧することができる。
請求項３記載の発明によれば、突部の弾性をほぼ維持することができ、それによって請求項１記載の発明の効果を発揮させることができる。
【図面の簡単な説明】
【図１】本発明に係る光コネクタ用キャップの一実施例を含んだ状態の光コネクタを示す分解斜視図である。
【図２】図１のキャップの拡大斜視図である。
【図３】図２の突部の拡大斜視図である。
【図４】図３の突部の変形例を示す斜視図である。
【図５】図３の突部の他の変形例を示す斜視図である。
【図６】図１の光コネクタを組み立てた状態を示す斜視図である。
【図７】図６のＡ−Ａ線の断面図である。
【図８】図６のＢ−Ｂ線の断面図である。
【図９】従来の光コネクタを示す分解斜視図である。
【図１０】図９のＧ−Ｇ線の端面図である。
【符号の説明】
２            受発光モジュール
３            ハウジング本体
１０          キャップ
１１          突部
Ｐ            組付け方向
【図１】
0003661965.tif 000002
【図２】
0003661965.tif 000003
【図３】
0003661965.tif 000004
【図４】
0003661965.tif 000005
【図５】
0003661965.tif 000006
【図６】
0003661965.tif 000007
【図７】
0003661965.tif 000008
【図８】
0003661965.tif 000009
【図９】
0003661965.tif 000010
【図１０】
0003661965.tif 000011